(57)【要約】【課題】プロジェクタ等の画像表示装置にネットワーク接続を行うための手続きを容易に行うことが可能な画像表示装置、画像表示システム、及びネットワーク接続方法を提供する。【解決手段】プロジェクタ５０は、４台の情報端末８０と無線ＬＡＮ接続が可能であるとともに、その画像表示領域（投写領域ＰＡ）を４つの小領域Ａ（Ａａ〜Ａｄ）に分割可能となっている。このため、プロジェクタ５０は、無線ＬＡＮ接続された複数（最大で４台）の情報端末８０からの受信画像を、それぞれ個別の小領域Ａに表示させることができる。また、プロジェクタ５０は、情報端末８０と無線ＬＡＮ接続を行う際に、ネットワーク名を表すＥＳＳＩＤ（Extended Service Set IDentifier）等、接続に必要な接続情報を図形化（符号化）した接続情報コードＣを各小領域Ａに表示させる。【選択図】図８
2008077380.tif 000002
【特許請求の範囲】
【請求項１】
複数の画像供給装置からネットワークを介して入力される画像信号に基づいた画像を表示する画像表示装置であって、
前記画像供給装置が当該画像表示装置にネットワーク接続するために用いられる接続情報を記憶する記憶手段と、
前記接続情報を符号化し、前記画像供給装置で認識可能な接続情報コードを生成する符号化手段と、
前記接続情報コードの表示、及び前記画像供給装置から入力される前記画像信号に基づいた画像の表示を行う表示手段と、
前記表示手段の画像表示領域を複数の領域に分割し、分割された前記各領域に、それぞれ異なる画像供給装置から入力される画像信号に基づいた画像を表示させる画像制御手段と、
を有することを特徴とする画像表示装置。
【請求項２】
請求項１に記載の画像表示装置であって、
前記符号化手段は、前記接続情報に前記各領域を特定可能な領域情報を付加し、前記領域情報が付加された前記接続情報を符号化して前記各領域に対応する複数の接続情報コードを生成し、
前記画像制御手段は、前記各領域に、それぞれに対応する前記接続情報コードを表示させて前記画像供給装置に前記接続情報及び前記領域情報を認識させた後に、前記画像供給装置が認識した前記領域情報を取得して、当該領域情報が表す領域に、当該画像供給装置から入力される画像信号に基づいた画像を表示させることを特徴とする画像表示装置。
【請求項３】
請求項１に記載の画像表示装置であって、
前記各領域には、異なる接続情報が割り当てられており、
前記符号化手段は、前記各領域に割り当てられた前記接続情報を符号化して複数の接続情報コードを生成し、
前記画像制御手段は、前記各領域に、それぞれに対応する前記接続情報コードを表示させて前記画像供給装置に前記接続情報を認識させた後に、前記画像供給装置が認識した前記接続情報を取得して、当該接続情報に対応する領域に、当該画像供給装置から入力される画像信号に基づいた画像を表示させることを特徴とする画像表示装置。
【請求項４】
請求項１に記載の画像表示装置であって、
前記符号化手段は、前記各領域に共通の接続情報コードを生成し、
前記画像制御手段は、前記接続情報コードを前記表示手段に表示させて前記画像供給装置に前記接続情報を認識させた後に、ネットワーク接続された前記画像供給装置に前記複数の領域のいずれかを割り当てて、当該画像供給装置から入力される画像信号に基づいた画像を、割り当てられた前記領域に表示させることを特徴とする画像表示装置。
【請求項５】
請求項１〜４のいずれか１項に記載の画像表示装置であって、
前記表示手段の前記画像表示領域に、前記複数の画像供給装置から入力される画像信号に基づいた複数の画像が表示される状態と、前記画像表示領域の略全域に、前記複数の画像供給装置のいずれか１つの画像供給装置から入力される画像信号に基づいた画像が表示される状態とを切り替える切替手段を有していることを特徴とする画像表示装置。
【請求項６】
画像信号を出力する複数の画像供給装置と、当該複数の画像供給装置からネットワークを介して入力される前記画像信号に基づいた画像を表示する画像表示装置とを含む画像表示システムであって、
前記画像表示装置は、
前記画像供給装置が当該画像表示装置にネットワーク接続するために用いられる接続情報を記憶する記憶手段と、
前記接続情報を符号化し、前記画像供給装置で認識可能な接続情報コードを生成する符号化手段と、
前記接続情報コードの表示、及び前記画像供給装置から入力される前記画像信号に基づいた画像の表示を行う表示手段と、
前記表示手段の画像表示領域を複数の領域に分割し、分割された前記各領域に、それぞれ異なる画像供給装置から入力される画像信号に基づいた画像を表示させる画像制御手段と、
を有し、
前記画像供給装置は、
前記表示手段によって表示された前記接続情報コードを解析し、前記接続情報を認識する接続情報認識手段と、
前記接続情報認識手段によって認識された前記接続情報に基づいて、前記画像表示装置とネットワーク接続を行うネットワーク接続手段と、
を有することを特徴とする画像表示システム。
【請求項７】
画像信号を出力する画像供給装置と、
表示手段を有し、前記画像供給装置からネットワークを介して入力される前記画像信号に基づいた画像を、前記表示手段の画像表示領域に表示する画像表示装置と、
を含む画像表示システムのネットワーク接続方法であって、
前記画像表示装置が、自らにネットワーク接続するための接続情報を符号化し、前記画像供給装置で認識可能な接続情報コードを生成する第１のステップと、
前記画像表示装置が、前記画像表示領域に前記接続情報コードを表示する第２のステップと、
前記画像供給装置が、前記画像表示領域に表示された前記接続情報コードを解析し、前記接続情報を認識する第３のステップと、
前記画像供給装置が、認識した前記接続情報に基づいて、前記画像表示装置とネットワーク接続を行う第４のステップと、
前記画像表示装置が、前記画像表示領域を複数に分割した領域の１つと、前記ネットワーク接続された画像供給装置とを対応付ける第５のステップと、
前記画像表示装置が、前記画像供給装置から入力される前記画像信号に基づいた画像を、当該画像供給装置に対応付けられた前記領域に表示する第６のステップと、
を有することを特徴とする画像表示システムのネットワーク接続方法。
【発明の詳細な説明】
【技術分野】
【０００１】
本発明は、画像表示装置、画像表示システム、及びネットワーク接続方法に関する。
【背景技術】
【０００２】
近年、会議等で発表や報告を行う際に、パーソナルコンピュータ（以降、「ＰＣ」という）等にデジタルデータとして記憶させた資料を、プロジェクタによって拡大表示させることにより、多くの参加者に発表内容を視認させることが可能になっている。さらに最近は、無線ＬＡＮ（Local Area Network）による無線通信が可能なプロジェクタを用いることにより、ＰＣからプロジェクタへのデータ転送をワイヤレスで行うことが可能になっている。このようなプロジェクタを用いれば、ケーブルが邪魔になることがなくなるうえ、複数の発表者が各々のＰＣを用いて入れ替わり発表を行う場合でも、ケーブルを接続し直す作業をなくすことができる。
【０００３】
しかしながら、無線ＬＡＮによってＰＣからプロジェクタにネットワーク接続を行うためには、必要な接続情報、例えば、プロジェクタのＩＰアドレスや、ネットワーク名を示すＥＳＳＩＤ（Extended Service Set IDentifier）等の識別子、或いは通信データの暗号化技術であるＷＥＰ（Wired Equivalent Privacy）におけるパスワード等をＰＣに入力する必要がある。この入力作業を行うためには、あらかじめプロジェクタの接続情報を調べておかねばならず、また、接続情報を把握していたとしても、ネットワークに関する知識がないと入力作業を行うことは困難であった。
【０００４】
このような問題点に鑑み、１つの電子機器（例えば、携帯情報端末）から他の電子機器（例えば、プロジェクタ）に簡便にアクセスするための技術が特許文献１に開示されている。特許文献１に記載の画像表示システムでは、プロジェクタに接続するための接続情報（ＩＤ情報）が、非接触タグやバーコードの形態でプロジェクタ本体、或いはスクリーンの一部に取り付けられており、ユーザが、非接触タグリーダやバーコードリーダを備えた携帯情報端末をプロジェクタやスクリーンに近づけて、携帯情報端末に接続情報を読み取らせると、携帯情報端末は、読み取った接続情報に基づいてプロジェクタとのネットワーク接続を確立させることができるようになっている。
【０００５】
【特許文献１】国際公開第ＷＯ２００３／０１５４５１パンフレット
【発明の開示】
【発明が解決しようとする課題】
【０００６】
しかしながら、特許文献１に記載の画像表示システムでは、非接触タグやバーコード（印刷物）等を、ＩＤ情報としてプロジェクタやスクリーンに取り付ける作業を行わなければならないうえ、その際に誤ったＩＤ情報を取り付けてしまう恐れがあった。また、取り付けたＩＤ情報を読み取る際には、携帯情報端末をプロジェクタやスクリーンに近づける必要があるため、ユーザは、接続の都度、携帯情報端末を持って移動しなければならなかった。
【０００７】
本発明は、上記問題に鑑みてなされたものであり、その目的は、プロジェクタ等の画像表示装置にネットワーク接続を行うための手続きを容易に行うことが可能な画像表示装置、画像表示システム、及びネットワーク接続方法を提供することにある。
【課題を解決するための手段】
【０００８】
本発明の画像表示装置は、複数の画像供給装置からネットワークを介して入力される画像信号に基づいた画像を表示する画像表示装置であって、前記画像供給装置が当該画像表示装置にネットワーク接続するために用いられる接続情報を記憶する記憶手段と、前記接続情報を符号化し、前記画像供給装置で認識可能な接続情報コードを生成する符号化手段と、前記接続情報コードの表示、及び前記画像供給装置から入力される前記画像信号に基づいた画像の表示を行う表示手段と、前記表示手段の画像表示領域を複数の領域に分割し、分割された前記各領域に、それぞれ異なる画像供給装置から入力される画像信号に基づいた画像を表示させる画像制御手段とを有することを特徴とする。
【０００９】
この画像表示装置によれば、自らにネットワーク接続するための接続情報を符号化して接続情報コードを生成し、これを画像として表示するため、接続情報を記した非接触タグや印刷物等を、画像表示装置に取り付ける作業を行う必要がなくなるうえ、誤った接続情報を取り付けてしまう恐れがなくなる。この結果、画像表示装置にネットワーク接続するための手続きを容易に行うことが可能となる。
さらに、画像制御手段が、表示手段の画像表示領域を複数の領域に分割し、分割された各領域に、それぞれ異なる画像供給装置から入力される画像信号に基づいた画像を表示させるため、ネットワークの接続状況（接続されている画像供給装置の台数、どの画像供給装置が接続されているか等）を容易に認識することが可能となる。
【００１０】
この画像表示装置において、前記符号化手段は、前記接続情報に前記各領域を特定可能な領域情報を付加し、前記領域情報が付加された前記接続情報を符号化して前記各領域に対応する複数の接続情報コードを生成し、前記画像制御手段は、前記各領域に、それぞれに対応する前記接続情報コードを表示させて前記画像供給装置に前記接続情報及び前記領域情報を認識させた後に、前記画像供給装置が認識した前記領域情報を取得して、当該領域情報が表す領域に、当該画像供給装置から入力される画像信号に基づいた画像を表示させるようにしてもよい。
【００１１】
この画像表示装置によれば、符号化手段が、接続情報に各領域を特定可能な領域情報を付加して符号化することにより、各領域に対応する複数の接続情報コードを生成し、画像制御手段が、各領域に、それぞれに対応する接続情報コードを表示させて画像供給装置に接続情報及び領域情報を認識させた後に、画像供給装置が認識した領域情報を取得して、この領域情報が表す領域に、画像供給装置から入力される画像信号に基づいた画像を表示させる。つまり、ユーザは、所望の領域に表示された接続情報コードを画像供給装置に認識させることにより、この領域に画像を表示させることが可能となるため、画像を表示させる領域を容易に指定することが可能となる。
【００１２】
この画像表示装置において、前記各領域には、異なる接続情報が割り当てられており、前記符号化手段は、前記各領域に割り当てられた前記接続情報を符号化して複数の接続情報コードを生成し、前記画像制御手段は、前記各領域に、それぞれに対応する前記接続情報コードを表示させて前記画像供給装置に前記接続情報を認識させた後に、前記画像供給装置が認識した前記接続情報を取得して、当該接続情報に対応する領域に、当該画像供給装置から入力される画像信号に基づいた画像を表示させるようにしてもよい。
【００１３】
この画像表示装置によれば、符号化手段が、各領域に割り当てられた接続情報を符号化して複数の接続情報コードを生成し、画像制御手段が、各領域に、それぞれに対応する接続情報コードを表示させて画像供給装置に接続情報を認識させた後に、画像供給装置が認識した接続情報を取得して、この接続情報に対応する領域に、画像供給装置から入力される画像信号に基づいた画像を表示させる。つまり、ユーザは、所望の領域に表示された接続情報コードを画像供給装置に認識させることにより、この領域に画像を表示させることが可能となるため、画像を表示させる領域を容易に指定することが可能となる。
【００１４】
この画像表示装置において、前記符号化手段は、前記各領域に共通の接続情報コードを生成し、前記画像制御手段は、前記接続情報コードを前記表示手段に表示させて前記画像供給装置に前記接続情報を認識させた後に、ネットワーク接続された前記画像供給装置に前記複数の領域のいずれかを割り当てて、当該画像供給装置から入力される画像信号に基づいた画像を、割り当てられた前記領域に表示させるようにしてもよい。
【００１５】
この画像表示装置によれば、画像制御手段が、ネットワーク接続された画像供給装置に、画像を表示する領域を割り当てるため、複数の画像供給装置が同一の領域に画像を表示させようとしてしまう事態を抑制することが可能となる。
【００１６】
この画像表示装置において、前記表示手段の前記画像表示領域に、前記複数の画像供給装置から入力される画像信号に基づいた複数の画像が表示される状態と、前記画像表示領域の略全域に、前記複数の画像供給装置のいずれか１つの画像供給装置から入力される画像信号に基づいた画像が表示される状態とを切り替える切替手段を有していることが望ましい。
【００１７】
この画像表示装置によれば、表示手段の画像表示領域に、複数の画像が表示される状態と、いずれか１つの画像が略全域に表示される状態とを切り替える切替手段を有しているため、１つの画像を大きく表示させた状態で鑑賞できるとともに、鑑賞の前後、或いはその途中で、容易にネットワークの接続状況を確認することが可能となる。
【００１８】
本発明の画像表示システムは、画像信号を出力する複数の画像供給装置と、当該複数の画像供給装置からネットワークを介して入力される前記画像信号に基づいた画像を表示する画像表示装置とを含む画像表示システムであって、前記画像表示装置は、前記画像供給装置が当該画像表示装置にネットワーク接続するために用いられる接続情報を記憶する記憶手段と、前記接続情報を符号化し、前記画像供給装置で認識可能な接続情報コードを生成する符号化手段と、前記接続情報コードの表示、及び前記画像供給装置から入力される前記画像信号に基づいた画像の表示を行う表示手段と、前記表示手段の画像表示領域を複数の領域に分割し、分割された前記各領域に、それぞれ異なる画像供給装置から入力される画像信号に基づいた画像を表示させる画像制御手段とを有し、前記画像供給装置は、前記表示手段によって表示された前記接続情報コードを解析し、前記接続情報を認識する接続情報認識手段と、前記接続情報認識手段によって認識された前記接続情報に基づいて、前記画像表示装置とネットワーク接続を行うネットワーク接続手段とを有することを特徴とする。
【００１９】
この画像表示システムによれば、画像表示装置が、自らにネットワーク接続するための接続情報を符号化して接続情報コードを生成し、これを画像として表示するため、接続情報を記した非接触タグや印刷物等を、画像表示装置に取り付ける作業を行う必要がなくなるうえ、誤った接続情報を取り付けてしまう恐れがなくなる。この結果、画像表示装置にネットワーク接続するための手続きを容易に行うことが可能となる。
さらに、画像表示装置が、表示手段の画像表示領域を複数の領域に分割し、分割された各領域に、それぞれ異なる画像供給装置から入力される画像信号に基づいた画像を表示させる画像制御手段を備えているため、ネットワークの接続状況（接続されている画像供給装置の台数、どの画像供給装置が接続されているか等）を容易に認識することが可能となる。
【００２０】
本発明のネットワーク接続方法は、画像信号を出力する画像供給装置と、表示手段を有し、前記画像供給装置からネットワークを介して入力される前記画像信号に基づいた画像を、前記表示手段の画像表示領域に表示する画像表示装置とを含む画像表示システムのネットワーク接続方法であって、前記画像表示装置が、自らにネットワーク接続するための接続情報を符号化し、前記画像供給装置で認識可能な接続情報コードを生成する第１のステップと、前記画像表示装置が、前記画像表示領域に前記接続情報コードを表示する第２のステップと、前記画像供給装置が、前記画像表示領域に表示された前記接続情報コードを解析し、前記接続情報を認識する第３のステップと、前記画像供給装置が、認識した前記接続情報に基づいて、前記画像表示装置とネットワーク接続を行う第４のステップと、前記画像表示装置が、前記画像表示領域を複数に分割した領域の１つと、前記ネットワーク接続された画像供給装置とを対応付ける第５のステップと、前記画像表示装置が、前記画像供給装置から入力される前記画像信号に基づいた画像を、当該画像供給装置に対応付けられた前記領域に表示する第６のステップとを有することを特徴とする。
【００２１】
このネットワーク接続方法によれば、画像表示装置が、自らにネットワーク接続するための接続情報を符号化して接続情報コードを生成し、これを画像として表示するため、接続情報を記した非接触タグや印刷物等を、画像表示装置に取り付ける作業を行う必要がなくなるうえ、誤った接続情報を取り付けてしまう恐れがなくなる。この結果、画像表示装置にネットワーク接続するための手続きを容易に行うことが可能となる。
さらに、画像表示装置が、画像表示領域を複数に分割した領域の１つと、ネットワーク接続された画像供給装置と対応付け、この画像供給装置から入力される画像信号に基づいた画像を、対応付けられた領域に表示させるため、ネットワークの接続状況（接続されている画像供給装置の台数、どの画像供給装置が接続されているか等）を容易に認識することが可能となる。
【００２２】
また、上述した画像表示装置、画像表示システム、及びネットワーク接続方法が、画像表示装置及び画像供給装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２３】
（第１実施形態）
本発明の第１実施形態に係る画像表示システムについて、図面を参照して説明する。
図１は、第１実施形態の画像表示システムの概略構成を示す説明図である。
図１に示すように、本実施形態の画像表示システム１は、無線ＬＡＮによるネットワーク通信が可能なプロジェクタ５０と、同じく無線ＬＡＮによるネットワーク通信が可能な携帯電話等の情報端末８０とを含んで構成されている。
【００２４】
情報端末８０は、プロジェクタ５０との間で無線ＬＡＮによるネットワーク接続（無線ＬＡＮ接続）がなされた状態で、プロジェクタ５０に対して画像信号を供給（送信）することが可能になっており、本発明の画像供給装置に相当する。プロジェクタ５０は、会議室等の天井に設置（天吊り）され、情報端末８０から受信した画像信号に応じた画像（受信画像）を、壁面に備えられたスクリーンＳＣ等に投写する画像表示装置である。本実施形態では、無線ＬＡＮの接続形態として、装置同士をアクセスポイント７０を介して接続させるインフラストラクチャモード（アクセスポイントモード）を利用しており、プロジェクタ５０と情報端末８０との通信は、アクセスポイント７０を介して行われる。なお、これ以降、プロジェクタ５０と情報端末８０との通信にアクセスポイント７０が介在する旨の説明は省略する。
【００２５】
プロジェクタ５０は、４台の情報端末８０（８０ａ〜８０ｄ）と無線ＬＡＮ接続が可能であるとともに、その画像表示領域（投写領域ＰＡ）を４つの小領域Ａ（Ａａ〜Ａｄ）に分割可能となっている。このため、プロジェクタ５０は、無線ＬＡＮ接続された複数（最大で４台）の情報端末８０からの受信画像を、それぞれ個別の小領域Ａに表示させることができる。
【００２６】
また、プロジェクタ５０は、情報端末８０と無線ＬＡＮ接続を行う際に、ネットワーク名を表すＥＳＳＩＤ等、接続に必要な接続情報を図形化（符号化）した接続情報コードＣ（図８参照）をスクリーンＳＣに投写することができる。本実施形態では、接続情報コードＣとして、マトリックス型の２次元コードであるＱＲコード（登録商標）を用いるものとするが、他のマトリクス型２次元コードや、バーコードを積み上げた形のスタック型の２次元コードを用いてもよい。或いは、２次元コードを時系列に変化させる３次元コード等、２次元コード以外のコードを用いることも可能である。
【００２７】
情報端末８０は、ＣＣＤカメラ等からなる撮像部８５を備えており、プロジェクタ５０からスクリーンＳＣに投写された接続情報コードＣを撮像することができる。さらに、情報端末８０は、撮像した接続情報コードＣからプロジェクタ５０の接続情報を認識することが可能となっており、この接続情報に基づいてプロジェクタ５０との無線ＬＡＮ接続を行うことにより、プロジェクタ５０に対して画像信号を供給することができるようになる。
【００２８】
次に、プロジェクタ５０及び情報端末８０の概略構成について説明する。
図２は、画像表示システム１におけるプロジェクタ５０及び情報端末８０の概略構成を示すブロック図である。
図２に示すように、プロジェクタ５０は、表示手段としての画像投写部５１、制御部５５、記憶手段としての記憶部５６、操作部５７、操作信号受信部５８、インターフェイス（Ｉ／Ｆ）部５９、画像信号処理部６０、ランプ駆動部６１、通信部６３、ライトバルブ駆動部６４、リモコンＲＣ等で構成されており、画像投写部５１には、光源部５２、３つの液晶ライトバルブ５３Ｒ，５３Ｇ，５３Ｂ、投写光学系としての投写レンズ５４等が含まれている。
【００２９】
光源部５２は、高圧水銀ランプや、メタルハライドランプ等の放電ランプ５２ａと、放電ランプ５２ａが放射した光を液晶ライトバルブ５３Ｒ，５３Ｇ，５３Ｂ側に反射するリフレクタ５２ｂとを含んで構成されている。光源部５２から射出された光は、図示しないインテグレータ光学系によって輝度分布が略均一な光に変換されるとともに、図示しない色分離光学系によって、光の３原色である赤色（Ｒ）、緑色（Ｇ）、青色（Ｂ）の各色光成分に分離された後、それぞれ液晶ライトバルブ５３Ｒ，５３Ｇ，５３Ｂに入射する。
【００３０】
液晶ライトバルブ５３Ｒ，５３Ｇ，５３Ｂは、一対の透明基板間に液晶が封入された液晶パネル等によって構成され、各透明基板の内面には、液晶に対して微小領域（画素）毎に駆動電圧を印加可能な透明電極（画素電極）がマトリクス状に形成されている。
ライトバルブ駆動部６４が、入力される画像信号に応じた駆動電圧を各画素に印加することにより、各画素は、画像信号に応じた光透過率に設定される。つまり、光源部５２から射出された光は、この液晶ライトバルブ５３Ｒ，５３Ｇ，５３Ｂを透過することによって変調され、画像信号に応じた画像光が色光毎に形成される。形成された各色の画像光は、図示しない色合成光学系によって画素毎に合成されてカラー画像を表す画像光となった後、投写レンズ５４によってスクリーンＳＣ等に拡大投写される。
【００３１】
制御部５５は、ＣＰＵ（Central Processing Unit）や、各種データ等の一時記憶に用いられるＲＡＭ（Random Access Memory）等を備え、コンピュータとして機能するものである。制御部５５は、記憶部５６に記憶されている制御プログラムに従って動作することにより、バス６５を介して接続されている前記各部５６〜６１の動作を統括制御する。
【００３２】
記憶部５６は、マスクＲＯＭ（Read Only Memory）や、フラッシュメモリ、ＦｅＲＡＭ（Ferroelectric RAM：強誘電体メモリ）等の不揮発性のメモリにより構成されている。記憶部５６には、プロジェクタ５０の動作を制御するための様々な制御プログラムや各種データ等が記憶されている。
【００３３】
記憶部５６が記憶するデータには、外部の装置がプロジェクタ５０に無線ＬＡＮ接続する際に必要となる接続情報が含まれている。接続情報には、前述したＥＳＳＩＤに加えて、ＤＨＣＰ（Dynamic Host Configuration Protocol）を使用するか否かを表す情報、プロジェクタ５０のＩＰアドレス、サブネットマスク、デフォルトゲートウェイ、及び通信データを暗号化するＷＥＰのパスワード等が含まれている。
【００３４】
また、記憶部５６が記憶する制御プログラムには、外部の装置と無線ＬＡＮ接続するための処理内容やその順序を規定した接続確立プログラムＰＰが含まれている。この接続確立プログラムＰＰには、接続情報を符号化して接続情報コードＣを生成するためのコード生成プログラムがサブルーチンとして内包されている。なお、制御部５５がこのコード生成プログラムに従って動作することにより、記憶部５６に記憶されている接続情報を符号化することが可能となることから、コード生成プログラムに従って動作する際の制御部５５が、本発明の符号化手段に相当する。
【００３５】
操作部５７及びリモコンＲＣは、プロジェクタ５０に対して各種指示を行うための複数の操作ボタンを備えている。操作部５７及びリモコンＲＣが備える操作ボタンとしては、電源のオン・オフを行うための「電源ボタン」、メニュー画像を投写させる「メニューボタン」、メニュー画像上でカーソルを移動させる「カーソルボタン」、無線ＬＡＮ接続を指示するための「接続ボタン」等がある。ユーザが操作部５７の各種操作ボタンを操作すると、操作部５７は、ユーザの操作内容に応じた操作信号を制御部５５に出力する。また、ユーザがリモコンＲＣの各種操作ボタンを操作すると、リモコンＲＣは、ユーザの操作内容に応じた赤外線の操作信号を発し、操作信号受信部５８がこれを受信して制御部５５に伝達する。
【００３６】
インターフェイス部５９は、ＵＳＢ（Universal Serial Bus）コントローラやＰＣＩ（Peripheral Component Interconnect）コントローラ等の各種デバイスコントローラを搭載しており、外部デバイスとの間でデータの入出力を行う。インターフェイス部５９には、外部デバイスを接続するためのカードスロットやＵＳＢポート（いずれも図示せず）が設けられており、本実施形態のカードスロットには、通信部６３が接続されている。
【００３７】
通信部６３は、IEEE 802.11b、IEEE 802.11g、IEEE 802.11a等の無線ＬＡＮ規格に対応した無線ＬＡＮカードであり、制御部５５の指示に基づいて、無線ＬＡＮ接続に関わるコマンドの送受信や、画像信号の受信等を行うことができる。通信部６３が画像信号を受信すると、当該画像信号は画像信号処理部６０に出力される。なお、通信部６３は、無線ＬＡＮに接続可能な無線端末装置であればよく、例えば、ＵＳＢポートに装着する無線ＬＡＮアダプタや、プロジェクタ５０に予め内蔵されている無線ＬＡＮモジュールを用いるようにしてもよい。
【００３８】
画像信号処理部６０は、画像プロセッサであり、制御部５５の指示に従って、入力端子（図示せず）またはインターフェイス部５９を介して入力される画像信号に対して信号処理を施し、液晶ライトバルブ５３Ｒ，５３Ｇ，５３Ｂの各画素に印加する駆動電圧を規定するための画像データを生成する。ここで、本実施形態の画像信号処理部６０は、投写領域ＰＡを４分割（縦横各２分割）した小領域Ａのそれぞれに、異なる情報端末８０からの受信画像が表示されるように、各情報端末８０から入力される画像信号のそれぞれに対してスケーリング（解像度変換）処理を施して、小領域Ａの大きさに対応する画像データを生成するとともに、これらを結合させた１つの画像データを生成する。また、画像信号処理部６０は、無線ＬＡＮ接続された複数の情報端末８０のうち、いずれか１つの情報端末８０からの受信画像が、投写領域ＰＡの全面に表示されるような画像処理を行うことも可能である。画像信号処理部６０は、生成した画像データを画像信号としてライトバルブ駆動部６４に出力する。なお、画像信号処理部６０及び制御部５５は、本発明の画像制御手段に相当する。
【００３９】
ライトバルブ駆動部６４は、画像信号処理部６０から入力される画像信号（画像データ）に基づいて、３つの液晶ライトバルブ５３Ｒ，５３Ｇ，５３Ｂを駆動する。この結果、画像投写部５１から画像信号に応じた画像（画像光）が投写される。
【００４０】
ランプ駆動部６１は、光源部５２の点灯及び消灯を制御する点灯制御回路であり、光源部５２を点灯させるために高電圧を発生して放電経路を形成するイグナイタ回路と、点灯後の安定した点灯状態を維持するためのバラスト回路（いずれも図示せず）とを含んで構成されている。
【００４１】
次に、情報端末８０の概略構成について、携帯電話の場合を例にして説明する。
図２に示すように、情報端末８０は、図示しない通話手段（通話用のアンテナ、マイク、スピーカ等）の他に、制御部８１、記憶部８２、操作部８３、表示部８４、撮像部８５、通信部８６等を備えている。
【００４２】
制御部８１は、ＣＰＵ等を備え、コンピュータとして機能するものであり、記憶部８２に記憶されている制御プログラムに従って動作することにより、バス８７を介して接続されている前記各部８２〜８６の動作を統括制御する。
【００４３】
記憶部８２は、マスクＲＯＭや、フラッシュメモリ、ＦｅＲＡＭ等の不揮発性のメモリにより構成されている。記憶部８２には、情報端末８０の動作を制御するための様々な制御プログラムや、プロジェクタ５０で投写するための画像データ等が記憶されている。
【００４４】
記憶部８２が記憶する制御プログラムには、外部の画像表示装置と無線ＬＡＮ接続するための処理内容とその順序を規定した接続確立プログラムＰＭが含まれている。この接続確立プログラムＰＭには、撮像部８５が撮像した画像に含まれる接続情報コードＣを解析し、この接続情報コードＣに含まれる接続情報を認識するためのコード解析プログラムがサブルーチンとして内包されている。なお、制御部８１がこのコード解析プログラムに従って動作することにより、撮像した接続情報コードＣを解析し、それに含まれる接続情報を認識することが可能となることから、コード解析プログラムに従って動作する際の制御部８１が、本発明の接続情報認識手段に相当する。
【００４５】
操作部８３は、情報端末８０に対して各種指示を行うための複数の操作ボタンを備えている。操作部８３が備える操作ボタンとしては、通話を行うために必要な各種ボタン（通話用ボタン）に加えて、情報端末８０を電話機として使用可能な状態（電話モード）とデジタルカメラとして使用可能な状態（カメラモード）等を切り替えるための「モード切替ボタン」、無線ＬＡＮ接続を指示するための「接続ボタン」、無線ＬＡＮ接続の切断を指示するための「切断ボタン」、撮像部８５によって画像の撮像（記録）を指示するための「シャッタボタン」、投写される画像の表示状態（詳しくは後述する）を切り替える「表示切替ボタン」等がある。ユーザが操作部８３の操作ボタンを操作すると、操作部８３は、ユーザの操作内容に応じた操作信号を制御部８１に出力する。なお、接続ボタンや切断ボタン、シャッタボタン、通話用ボタン等は、すべてが独立したボタンである必要はなく、１つのボタンに複数の機能を割り当てて、モードの切り替え等に応じて出力する操作信号を切り替えるようにしてもよい。
【００４６】
表示部８４は、例えば、ＴＦＴ（Thin Film Transistor）駆動によるアクティブマトリクス駆動方式の液晶表示装置であり、制御部８１や撮像部８５から出力される画像データに基づいた画像を表示する。
【００４７】
撮像部８５は、例えば、ＣＣＤ（Charge Coupled Device）カメラやＣＭＯＳ（Complementary Metal Oxide Semiconductor）カメラ等で構成されており、制御部８１の指示に基づいて被写体を撮像し、撮像結果（撮像画像）を表す画像データを生成する。情報端末８０は、ユーザの操作等によってカメラモードに切り替えられた時点から周期的な撮像（画像データの生成）を開始し、撮像画像を表示部８４にリアルタイムで表示（モニタ表示）する。この状態で、ユーザにより操作部８３のシャッタボタンが操作（押下）されると、制御部８１は、その時点で撮像部８５が生成した１フレーム（１画面）分の画像データを記憶部８２に記憶（記録）する。なお、本明細書では、表示部８４にモニタ表示するための撮像を単に「撮像」と表記し、シャッタボタンの操作に応じて画像データを記憶部８２に記憶させることを「撮像（記録）」と表記する。
【００４８】
通信部８６は、IEEE 802.11b、IEEE 802.11g、IEEE 802.11a等の無線ＬＡＮ規格に対応した無線ＬＡＮモジュールであり、制御部８１の指示に基づいて、無線ＬＡＮ接続に関わるコマンドの送受信や、画像信号の送信等を行うことができる。なお、情報端末８０が外部デバイスを接続するためのカードスロットやＵＳＢポートを備える場合には、これらに接続可能な無線ＬＡＮカードや無線ＬＡＮアダプタを通信部８６として用いるようにしてもよい。
【００４９】
次に、画像表示システム１の動作について、図面を参照して説明する。
プロジェクタ５０に電源が投入されると、プロジェクタ５０の制御部５５は、記憶部５６に記憶された制御プログラムに従った動作を開始し、各種初期化動作を行った後、操作部５７及び操作信号受信部５８からの信号入力を待機する。この状態で、ユーザは、操作部５７或いはリモコンＲＣの接続ボタンを操作することにより、外部の装置（本実施形態では、情報端末８０）との無線ＬＡＮ接続を開始するための指示を行うことができる。
【００５０】
図３は、プロジェクタ５０の動作を説明するためのフローチャートであり、図４〜図６は、動作中に投写領域ＰＡに表示される画像を示す説明図である。
図３に示すように、ステップＳ１０１では、制御部５５は、操作部５７及び操作信号受信部５８から入力される操作信号に基づいて、無線ＬＡＮ接続を開始するための指示（接続ボタンの操作）がなされたか否かを判断する。指示があった場合には、ステップＳ１０２へ移行し、指示がなかった場合には、当該ステップＳ１０１を繰り返す。
【００５１】
無線ＬＡＮ接続を開始するための指示を受けてステップＳ１０２に移行した場合には、制御部５５は、記憶部５６に記憶されている接続確立プログラムＰＰに従った動作を開始する。まず、記憶部５６から接続情報を読み出し、この接続情報に基づいて、無線ＬＡＮ接続を行うための設定をプロジェクタ５０に施す。
【００５２】
その後、ステップＳ１０３では、制御部５５は、接続確立プログラムＰＰのサブルーチンであるコード生成プログラムに従って動作し、読み出した接続情報を符号化して接続情報コードを表す画像データを生成する。このとき、制御部５５は、読み出した接続情報に対して小領域Ａａ〜Ａｄを特定可能な領域情報（例えば、「Ａａ」、「Ａｂ」、「Ａｃ」、「Ａｄ」を表すテキストデータ）を付加し、その後で符号化を行うことにより、各小領域Ａａ〜Ａｄに対応する４つの接続情報コードＣａ〜Ｃｄを表す画像データを生成する。なお、この画像データを生成する際には、接続情報を精度よく認識させるために、接続情報コードＣ（Ｃａ〜Ｃｄ）を構成する略正方形のセル（最小単位）を、投写画像の解像度を決定する液晶ライトバルブ５３Ｒ，５３Ｇ，５３Ｂの１画素よりも十分に大きくする必要がある。
【００５３】
ステップＳ１０４では、制御部５５は、生成した画像データを画像信号として画像信号処理部６０に出力する。画像信号処理部６０は、前述した信号処理と同様の処理を行って、各小領域Ａａ〜Ａｄに、それぞれに対応する接続情報コードＣａ〜Ｃｄが表示されるような画像データを生成し、これをライトバルブ駆動部６４に出力する。この結果、画像投写部５１から、当該画像信号に応じた画像がスクリーンＳＣに投写され、図４に示すように、投写領域ＰＡの各小領域Ａａ〜Ａｄに、それぞれ接続情報コードＣａ〜Ｃｄが表示される。ここで、投写領域ＰＡ内の余白部分等に、「無線ＬＡＮ接続を行うためには、いずれか１つの接続情報コードを撮影して下さい」等のメッセージを表示するようにしてもよい。接続情報コードＣａ〜Ｃｄが表示された状態で、ユーザがいずれか１つの接続情報コードＣを情報端末８０で撮像（記録）すると、情報端末８０は、接続情報コードＣを解析し、これに含まれる接続情報及び領域情報を認識することができる。
【００５４】
ステップＳ１０５では、制御部５５は、通信部６３が情報端末８０から接続要求コマンドを受信したか否かを判断する。接続要求コマンドは、ユーザが情報端末８０の操作部８３を操作して、プロジェクタ５０との無線ＬＡＮ接続を情報端末８０に指示した場合に、情報端末８０がプロジェクタ５０に送信するコマンドであり、接続要求コマンドには、これを送信した情報端末８０のＩＰアドレスとともに、接続情報コードＣを解析して得られた領域情報が含まれている。通信部６３が接続要求コマンドを受信した場合には、ステップＳ１０６へ移行し、受信していない場合には、当該ステップＳ１０５を繰り返す。
【００５５】
接続要求コマンドが受信されてステップＳ１０６に移行した場合には、制御部５５は、接続を許可する接続応答コマンドを通信部６３から情報端末８０に送信する。これにより、情報端末８０とプロジェクタ５０との無線ＬＡＮ接続が確立し、情報端末８０の通信部８６からプロジェクタ５０の通信部６３に対して画像信号を送信することが可能となる。
【００５６】
ステップＳ１０７では、制御部５５は、情報端末８０と小領域Ａとの対応付けを行う。具体的には、接続要求コマンドに含まれている情報端末８０のＩＰアドレス及び領域情報を取得し、これ以降、当該ＩＰアドレスの情報端末８０からの受信画像は、当該領域情報が表す小領域Ａに表示されるように両者（ＩＰアドレス及び領域情報）を対応付けてＲＡＭに記憶する。
【００５７】
ステップＳ１０８では、制御部５５は、情報端末８０から送信される画像信号を通信部６３が受信すると、受信信号に含まれるＩＰアドレスによって送信元の情報端末８０を識別し、このＩＰアドレスに対応する領域情報をＲＡＭから読み出す。その後、制御部５５は、読み出した領域情報を画像信号処理部６０に出力するとともに、画像信号処理部６０に対して画像信号の処理を指示する。画像信号処理部６０は、前記指示を受けて、入力された画像信号に基づく画像が、領域情報が表す小領域Ａに表示されるような画像データを生成し、これをライトバルブ駆動部６４に出力する。これにより、図５に示すように、領域情報によって指定された小領域Ａ（例えば、小領域Ａａ）に受信画像が表示される。なお、他の小領域Ａｂ〜Ａｄには、引き続き接続情報コードＣｂ〜Ｃｄが表示される。
【００５８】
受信画像を投写している間、ユーザは、情報端末８０の操作部８３に備わる切断ボタンを操作することにより、無線ＬＡＮ接続の切断を指示することができる。切断ボタンが操作されると、情報端末８０は、プロジェクタ５０に対して切断要求コマンドを送信する。
【００５９】
ステップＳ１０９では、制御部５５は、接続中の情報端末８０から切断要求コマンドを受信したか否かを判断する。通信部６３を介して切断要求コマンドを受信した場合には、ステップＳ１１３に移行し、切断要求コマンドを受信していない場合には、ステップＳ１１０に移行する。
【００６０】
切断要求コマンドが受信されず、ステップＳ１１０に移行した場合には、制御部５５は、他の情報端末８０、即ち、既に接続中の情報端末８０以外の情報端末８０から接続要求コマンドを受信したか否かを判断する。この結果、受信していない場合には、ステップＳ１０８に戻って、接続中の情報端末８０からの受信画像の投写を継続する。一方、新たに接続要求コマンドを受信した場合には、ステップＳ１１１に移行する。
【００６１】
ステップＳ１１１では、制御部５５は、新たな接続要求コマンドによって指定された小領域Ａが使用中か否か、即ち、接続要求コマンドに含まれる領域情報が、既に接続中の情報端末８０のＩＰアドレスに対応付けられてＲＡＭに記憶されているか否かを判断する。この結果、指定された小領域Ａが使用中であれば、ステップＳ１１２に移行する。一方、指定された小領域Ａが未使用であれば、ステップＳ１０６に戻り、新たな接続要求コマンドを送信した情報端末８０に対して、接続を許可する接続応答コマンドを送信する（ステップＳ１０６）とともに、新たな接続要求コマンドに含まれていたＩＰアドレスと領域情報とを対応付けてＲＡＭに記憶し（ステップＳ１０７）、受信画像の投写（ステップＳ１０８）を行う。
【００６２】
なお、これ以降は、複数の情報端末８０から画像信号が送信されることになるため、制御部５５は、ステップＳ１０８において、受信した画像信号の送信元をＩＰアドレスによって識別するとともに、各ＩＰアドレスに対応付けられた小領域Ａにそれぞれの画像が表示されるよう、画像信号処理部６０に指示を行う。この結果、例えば、図６に示すように、投写領域ＰＡ内の複数の小領域Ａａ，Ａｄに、異なる情報端末８０からの受信画像が表示される。また、上記フローを繰り返すことにより、４台の情報端末８０に接続された状態では、図１に示したように、すべての小領域Ａａ〜Ａｄに、異なる情報端末８０からの受信画像が表示される。
【００６３】
ステップＳ１１１において、指定された小領域Ａが使用中であり、ステップＳ１１２に移行した場合には、制御部５５は、接続を拒否する接続応答コマンドを通信部６３から情報端末８０に送信する。その後、ステップＳ１０８に戻り、既に接続中の情報端末８０からの受信画像の投写を継続する。
【００６４】
ステップＳ１０９において切断要求コマンドを受信し、ステップＳ１１３に移行した場合には、制御部５５は、当該切断要求コマンドを送信した情報端末８０との無線ＬＡＮ接続の切断処理を実行するとともに、この情報端末８０のＩＰアドレス、及びこれに対応付けられて記憶されている領域情報をＲＡＭから消去する。さらに、制御部５５は、これ以降、この情報端末８０が使用していた小領域Ａに接続情報コードＣが表示されるように、当該小領域Ａに対応する接続情報コードＣの画像データを画像信号処理部６０に出力して、ステップＳ１１４に移行する。
【００６５】
ステップＳ１１４に移行すると、制御部５５は、接続中の他の情報端末８０が存在するか否かを判断する。この結果、ステップＳ１１３における切断処理により、接続中の情報端末８０が１つも存在しなくなった場合には、接続確立プログラムＰＰの実行を終了して待機状態に戻る。一方、接続中の情報端末８０が存在する場合には、ステップＳ１０８に戻って、接続中の情報端末８０からの受信画像の投写を継続する。
【００６６】
続いて、情報端末８０の動作について説明する。
情報端末８０に電源が投入されると、制御部８１は、記憶部８２に記憶された制御プログラムに従った動作を開始し、各種初期化動作を行った後、通話手段に対する着信や、操作部８３からの信号入力を待機する。この状態で、ユーザは、操作部８３の接続ボタンを操作することにより、プロジェクタ５０との無線ＬＡＮ接続を開始するための指示を行うことができる。
【００６７】
図７は、情報端末８０の動作を説明するためのフローチャートであり、図８は、情報端末８０の動作を説明するための説明図である。
図７に示すように、ステップＳ１２１では、制御部８１は、操作部８３から入力される操作信号に基づいて、無線ＬＡＮ接続を開始するための指示（接続ボタンの操作）がなされたか否かを判断する。指示がなされた場合には、ステップＳ１２２へ移行し、指示がなされていない場合には、当該ステップＳ１２１を繰り返す。
【００６８】
無線ＬＡＮ接続を開始するための指示を受けてステップＳ１２２に移行した場合には、制御部８１は、記憶部８２に記憶されている接続確立プログラムＰＭに従った動作を開始する。まず、制御部８１は、情報端末８０をカメラモードに切り替えるとともに、表示部８４に接続情報コード撮像画面を表示させ、接続情報コードＣの撮像を促す。接続情報コード撮像画面は、例えば、図８に示すように、タイトル（「バーコード読取り」）の下方に、撮像部８５で撮像されている画像をリアルタイム表示するモニタ領域を備えた画面であり、モニタ領域の四隅には、鉤括弧状のガイドマークが表示されている。このガイドマークは、接続情報コードＣを撮像（記録）する際に、撮像（記録）すべき大きさの目安となるものであり、ガイドマークが表す大きさで接続情報コードＣを撮像（記録）することにより、接続情報を認識する際の認識精度を向上させることができる。
【００６９】
このため、ユーザは、スクリーンＳＣに接続情報コードＣが表示されている状態で、情報端末８０の撮像部８５をスクリーンＳＣに向け、表示されている接続情報コードＣのうち、画像を投写したい小領域Ａに表示されている接続情報コードＣを表示部８４のモニタ領域に表示させる。その後、ユーザが操作部８３のシャッタボタンの操作（撮像操作）を行うと、接続情報コードＣが撮像（記録）される。
【００７０】
ステップＳ１２３では、制御部８１は、撮像操作が行われたか否かを判断する。撮像操作が行われた場合には、ステップＳ１２４に移行し、撮像操作が行われなかった場合には、当該ステップＳ１２３を繰り返す。
【００７１】
撮像操作が行われてステップＳ１２４に移行した場合には、制御部８１は、撮像画像（画像データ）を記憶部８２に記憶するとともに、接続確立プログラムＰＭのサブルーチンであるコード解析プログラムに従って動作し、撮像画像に含まれる接続情報コードＣを解析して、それに含まれる接続情報及び領域情報の認識を試みる。
【００７２】
ステップＳ１２５では、制御部８１は、接続情報コードＣの解析の結果、接続情報及び領域情報を認識できたか否かを判断する。認識できた場合には、ステップＳ１２７に移行し、認識できなかった場合には、認識が失敗した旨を表すメッセージ（「認識失敗」、「もう一度、接続情報コードを撮影してください」等）を表示部８４に表示（ステップＳ１２６）して、ステップＳ１２２に戻る。
【００７３】
接続情報及び領域情報の認識が成功してステップＳ１２７に移行した場合には、制御部８１は、認識した接続情報に基づいて、無線ＬＡＮ接続を行うための設定を情報端末８０に施す。
【００７４】
さらに、ステップＳ１２８では、制御部８１は、認識した接続情報及び領域情報に基づいて、プロジェクタ５０との無線ＬＡＮ接続を要求する接続要求コマンドをプロジェクタ５０に送信する。
【００７５】
ステップＳ１２９では、制御部８１は、プロジェクタ５０から接続を許可する接続応答コマンドを受信したか否かを判断する。受信した場合には、プロジェクタ５０との無線ＬＡＮ接続が確立し、ステップＳ１３０に移行する。一方、接続を拒否する接続応答コマンドを受信した場合には、例えば、「指定した領域は使用中です。」等のように、指定した小領域Ａが使用中であるため接続できない旨を示すメッセージを表示（ステップＳ１３３）して処理を終了する。なお、制御部８１がステップＳ１２７〜Ｓ１２９を実行することによって、認識された接続情報に基づく無線ＬＡＮ接続（ネットワーク接続）を行うことから、ステップＳ１２７〜Ｓ１２９を実行する際の制御部８１が、本発明のネットワーク接続手段に相当する。
【００７６】
ステップＳ１３０では、制御部８１は、プロジェクタ５０で投写するための画像データを記憶部８２から読み出し、これを画像信号として通信部８６からプロジェクタ５０に送信する。
【００７７】
ステップＳ１３１では、制御部８１は、操作部８３からの操作信号に基づいて、ユーザにより無線ＬＡＮ接続を切断するための指示（切断ボタンの操作）がなされたか否かを判断する。指示があった場合には、プロジェクタ５０に対する切断要求コマンドの送信等、無線ＬＡＮ接続を切断するための処理（ステップＳ１３２）を行って待機状態に戻る。一方、指示がなかった場合には、ステップＳ１３０へ戻り、画像信号の送信を継続する。
【００７８】
次に、画像表示システム１における画像の表示状態の切り替えについて説明する。
図３及び図７に示したフローチャート中では図示を省略しているが、画像信号を送信中にユーザが表示切替ボタンを操作すると、情報端末８０の制御部８１は、プロジェクタ５０に対して表示切替コマンドを送信する。また、プロジェクタ５０の制御部５５は、受信画像を投写中に、画像信号を送信している情報端末８０から表示切替コマンドを受信すると、コマンドに付加されている送信元のＩＰアドレスによって情報端末８０を特定するとともに、画像信号処理部６０に指示をして、当該情報端末８０からの受信画像が投写領域ＰＡの全体に表示されるような画像データを生成させ、これをライトバルブ駆動部６４に出力させる。
【００７９】
図９（ａ）〜（ｃ）は、表示状態を切り替える際のプロジェクタ５０の動作を説明するための説明図である。
図９（ａ）、（ｂ）に示すように、小領域Ａａに情報端末８０ａからの受信画像が表示され、小領域Ａｄに情報端末８０ｄからの受信画像が表示されている状態で、ユーザが情報端末８０ａの表示切替ボタンを操作すると、情報端末８０ａの制御部８１は、プロジェクタ５０に対して表示切替コマンドを送信する。プロジェクタ５０の制御部５５は、この表示切替コマンドを受信すると、情報端末８０ａからの受信画像が投写領域ＰＡの全体に表示される状態（全体表示状態）となるように画像信号処理部６０に指示をする。また、この状態で、ユーザが情報端末８０ａの表示切替ボタンを再度操作すると、情報端末８０ａの制御部８１は、プロジェクタ５０に対して表示切替コマンドを再度送信する。プロジェクタ５０の制御部５５は、この表示切替コマンドを受信すると、元の４つの小領域Ａａ〜Ａｄに分割された表示状態（分割表示状態）に戻す。
同様に、図９（ａ）、（ｃ）に示すように、分割表示状態で、情報端末８０ｄの表示切替ボタンを操作すると、情報端末８０ｄからの受信画像が全体表示状態となり、この状態で情報端末８０ｄの表示切替ボタンが再度操作されると、分割表示状態に戻る。なお、情報端末８０からの表示切替コマンドを受けて、画像信号処理部６０に表示状態の切り替えを指示する際の制御部５５が、本発明の切替手段に相当する。
【００８０】
また、例えば、情報端末８０ａからの受信画像が全体表示状態の場合（図９（ｂ）参照）に、情報端末８０ｄの表示切替ボタンが操作されると、制御部５５は、情報端末８０ｄからの受信画像を全体表示状態とし（図９（ｃ）参照）、情報端末８０ｄからの受信画像が全体表示状態の場合（図９（ｃ）参照）に、情報端末８０ａの表示切替ボタンが操作されると、情報端末８０ａからの受信画像を全体表示状態とする（図９（ｂ）参照）。つまり、制御部５５は、表示切替コマンドを送信した情報端末８０からの受信画像が全体表示状態でない場合には、当該情報端末８０からの受信画像を全体表示状態とし、表示切替コマンドを送信した情報端末８０からの受信画像が全体表示状態である場合には、分割表示状態に変更する。
【００８１】
以上説明したように、本実施形態の画像表示システム１によれば以下の効果を得ることができる。
（１）本実施形態の画像表示システム１によれば、プロジェクタ５０が、自らに無線ＬＡＮ接続するための接続情報を符号化して接続情報コードＣを生成し、これを画像として投写するため、接続情報を記した非接触タグや印刷物等を、プロジェクタ５０やスクリーンＳＣに取り付ける作業を行う必要がなくなるうえ、誤った接続情報を取り付けてしまう恐れがなくなる。
また、接続情報コードを記した印刷物をプロジェクタ５０等に取り付ける場合には、目障りにならないように小さく印刷したものを目立たない位置に取り付けることが望まれるが、本実施形態では、接続情報コードＣを投写画像によって表示するため、接続作業を行うときのみ表示させることが可能であり、大きなサイズで表示させることができる。この結果、ユーザは、接続作業（情報端末８０に接続情報を認識させる作業）を広い範囲で行うことが可能となり、情報端末８０を持って認識可能な位置まで移動する必要性が低減する。
この結果、プロジェクタ５０に無線ＬＡＮ接続するための手続きを容易に行うことが可能となる。
【００８２】
（２）本実施形態の画像表示システム１によれば、プロジェクタ５０の画像信号処理部６０が、投写領域ＰＡを複数の小領域Ａに分割するとともに、分割された各小領域Ａに、それぞれ異なる情報端末８０からの受信画像を表示させるため、ネットワークの接続状況（接続されている情報端末８０の台数、どの情報端末８０が接続されているか等）を容易に認識することが可能となる。この結果、例えば、複数の人が１つのプロジェクタを用いて順次発表を行う会議等において、次の発表者の情報端末８０が既に接続済みか否かが容易に認識できるようになるため、会議の進行を効率的に行うことができる。
【００８３】
（３）本実施形態の画像表示システム１によれば、プロジェクタ５０の制御部５５は、自らに無線ＬＡＮ接続するための接続情報に各小領域Ａを特定可能な領域情報を付加して符号化することにより、各小領域Ａに対応する複数の接続情報コードＣを生成した後、各小領域Ａに、それぞれに対応する接続情報コードＣを表示させる。情報端末８０が、表示された接続情報コードＣのいずれか１つを撮像（記録）して接続情報及び領域情報を認識し、これに基づいて無線ＬＡＮ接続を行うと、プロジェクタ５０の制御部５５は、情報端末８０が認識した領域情報が表す小領域Ａに、当該情報端末８０からの受信画像を表示させる。つまり、ユーザは、所望の小領域Ａに表示された接続情報コードＣを情報端末８０に認識させることにより、この小領域Ａに画像を表示させることが可能となるため、画像を表示させる小領域Ａを容易に指定することが可能となる。
【００８４】
（第２実施形態）
本発明の第２実施形態に係る画像表示システムについて、図面を参照して説明する。
本実施形態の画像表示システム１は、前記第１実施形態と同様、４つの情報端末８０からの受信画像を４つの小領域Ａに表示可能になっているが、本実施形態では、各情報端末８０からの受信画像が表示される小領域Ａを、接続された順序に従って、プロジェクタ５０が割り当てるようになっている。
【００８５】
図１０（ａ）〜（ｅ）は、プロジェクタ５０が小領域Ａを割り当てる際の動作を説明する説明図であり、プロジェクタ５０の投写領域ＰＡを示す図である。
図１０（ａ）〜（ｅ）に示すように、接続確立プログラムＰＰは、情報端末８０からの受信画像を、無線ＬＡＮ接続が確立した順序に従って、Ａａ，Ａｂ，Ａｃ，Ａｄの順に表示するように規定している。図３に示したフローチャートにおけるステップＳ１０３では、制御部５５は、領域情報を含まずに全小領域Ａに共通の１つの接続情報コードＣを生成し、ステップＳ１０４において、生成した接続情報コードＣを投写する。このとき、制御部５５は、最初に受信画像を表示すべき小領域Ａａに接続情報コードＣを表示させる（図１０（ａ）参照）。
【００８６】
この状態で、表示された接続情報コードＣに基づいて１つの情報端末８０（情報端末８０ａとする）との無線ＬＡＮ接続が確立すると、制御部５５は、情報端末８０ａのＩＰアドレスと小領域Ａａとを対応付け、情報端末８０ａからの受信画像を小領域Ａａに表示させるとともに、次に受信画像を表示すべき小領域Ａｂに接続情報コードＣを表示させる（図１０（ｂ）参照）。その後、２つ目の情報端末８０（情報端末８０ｂとする）の無線ＬＡＮ接続が確立すると、制御部５５は、情報端末８０ｂのＩＰアドレスとそれまで接続情報コードＣが表示されていた小領域Ａｂとを対応付け、情報端末８０ｂからの受信画像を小領域Ａｂに表示させるとともに、次に受信画像を表示すべき小領域Ａｃに接続情報コードＣを表示させる（図１０（ｃ）参照）。さらに、３つ目の情報端末８０（情報端末８０ｃとする）との無線ＬＡＮ接続が確立すると、制御部５５は、情報端末８０ｃのＩＰアドレスとそれまで接続情報コードＣが表示されていた小領域Ａｃとを対応付け、情報端末８０ｃからの受信画像を小領域Ａｃに表示させるとともに、次に受信画像を表示すべき小領域Ａｄに接続情報コードＣを表示させる（図１０（ｄ）参照）。つまり、制御部５５は、新たな情報端末８０との無線ＬＡＮ接続が確立するごとに、当該情報端末８０からの受信画像を、それまで接続情報コードＣが表示されていた小領域Ａに表示させ、次に受信画像を表示すべき小領域Ａに接続情報コードＣを表示させる。その後、４つ目の情報端末８０（情報端末８０ｄとする）との無線ＬＡＮ接続が確立すると、制御部５５は、４つの情報端末８０ａ〜８０ｄからの受信画像をそれぞれ小領域Ａａ〜Ａｄに表示するとともに、接続情報コードＣの表示は行わない（図１０（ｅ）参照）。
【００８７】
なお、複数の情報端末８０ａ〜８０ｄからの受信画像を表示している間に、１つの情報端末（例えば、情報端末８０ｂとする）との接続が切断された場合には、情報端末８０ｂの受信画像が表示されていた小領域Ａｂに接続情報コードＣを表示させて、次に無線ＬＡＮ接続される情報端末８０からの受信画像は、小領域Ａｂに表示させる。或いは、情報端末８０ｂとの接続が切断された場合に、情報端末８０ｃからの受信画像を小領域Ａｂに表示させ、情報端末８０ｄからの受信画像を小領域Ａｃに表示させるとともに、小領域Ａｄに接続情報コードＣを表示させて、次に無線ＬＡＮ接続される情報端末からの受信画像は、小領域Ａｄに表示させるようにしてもよい。
【００８８】
以上説明したように、本実施形態の画像表示システム１によれば、前記第１実施形態の効果（１）、（２）に加えて、以下の効果を得ることができる。
（１）本実施形態の画像表示システム１によれば、無線ＬＡＮ接続された情報端末８０に対する小領域Ａの割り当てを、プロジェクタ５０の制御部５５が行うようにしているため、すべての小領域Ａで接続情報を共通にすることが可能となる。この結果、接続情報コードＣを１つだけ表示すれば済むうえ、複数の情報端末８０が同一の小領域Ａに画像を表示させようとしてしまう事態を抑制することが可能となる。
【００８９】
（２）本実施形態の画像表示システム１によれば、プロジェクタ５０の制御部５５が、次に画像が表示される小領域Ａに接続情報コードＣを表示させているため、情報端末８０をプロジェクタ５０に無線ＬＡＮ接続させようとしているユーザは、どの小領域Ａに画像が表示されるかを事前に知ることが可能となる。
【００９０】
（第３実施形態）
本発明の第３実施形態に係る画像表示システムについて、図面を参照して説明する。
図１１は、第３実施形態の画像表示システム１の概略構成を示す説明図である。
図１１に示すように、本実施形態の画像表示システム１は、第１実施形態と同一構成のプロジェクタ５０を画像表示装置として備えるとともに、情報端末８０が接続されたノート型のパーソナルコンピュータ（以下、ノートＰＣと呼ぶ）９０を画像供給装置として備えている。
【００９１】
図１２は、本実施形態の画像表示システム１の概略構成を示すブロック図である。
図１２に示すように、プロジェクタ５０は、前記第１実施形態と同一構成であり、情報端末８０は、通信部８６の代わりに、外部の装置と有線によるデータ通信が可能なインターフェイス（Ｉ／Ｆ）部８８を備える以外は、第１実施形態と同一の構成となっている。
【００９２】
ノートＰＣ９０は、制御部９１、ハードディスクドライブ９２、操作部９３、表示部９４、インターフェイス（Ｉ／Ｆ）部９５を備え、インターフェイス部９５には、通信部９６及びＵＳＢポート９７が接続されている。
【００９３】
制御部９１は、ＣＰＵ、ＲＯＭ、ＲＡＭ等によって構成され、バス９８を介して接続されている前記各部９２〜９５の動作を統括制御する。ハードディスクドライブ９２は、ＯＳ（オペレーティングシステム）や、インストールされたアプリケーションプログラム、或いは、プロジェクタ５０で投写するための画像データ等を記憶する記憶装置である。操作部９３は、キーボードやポインティングデバイス等であり、ユーザの操作内容に応じた操作信号を制御部９１に出力する。表示部９４は、液晶表示装置等からなり、制御部９１の制御に応じた画像を表示する。
【００９４】
ノートＰＣ９０に電源が投入されると、制御部９１のＣＰＵは、ＲＯＭに記憶された起動プログラムに従ってブート処理を行い、ハードディスクドライブ９２に記憶されているＯＳをＲＡＭに読み込むとともに、表示部９４に操作画面（デスクトップ画面）を表示させる。この状態で、ユーザが操作部９３を操作することによってアプリケーションプログラムの起動が指示されると、制御部９１は、ハードディスクドライブ９２に記憶された当該アプリケーションプログラムをＲＡＭに読み込んで、プログラムに従った動作処理を行う。
【００９５】
本実施形態のハードディスクドライブ９２には、アプリケーションプログラムとして、外部の画像表示装置と無線ＬＡＮ接続するための処理内容とその順序を規定した接続確立プログラムＰＮが含まれている。この接続確立プログラムＰＮには、情報端末８０の撮像部８５が撮像した画像に含まれる接続情報コードＣを解析し、この接続情報コードＣに含まれる接続情報を認識するためのコード解析プログラムがサブルーチンとして内包されている。なお、制御部９１がこのコード解析プログラムに従って動作することにより、撮像した接続情報コードＣを解析し、それに含まれる接続情報を認識することが可能となることから、本実施形態では、コード解析プログラムに従って動作する際の制御部９１が、本発明の接続情報認識手段に相当する。
【００９６】
通信部９６は、IEEE 802.11b、IEEE 802.11g、IEEE 802.11a等の無線ＬＡＮ規格に対応した無線ＬＡＮモジュールであり、制御部９１の指示に基づいて、無線ＬＡＮ接続に関わるコマンドの送受信や、画像信号の送信等を行うことができる。なお、通信部９６としては、カードスロットやＵＳＢポートに接続可能な無線ＬＡＮカードや無線ＬＡＮアダプタを用いるようにしてもよい。
【００９７】
ＵＳＢポート９７は、外部の装置との間でＵＳＢ規格に基づいたデータ通信を行うことが可能になっており、本実施形態では、ケーブルＵＣを介して情報端末８０のインターフェイス部８８に接続されている。
【００９８】
次に、ノートＰＣ９０の動作について説明する。
ノートＰＣに電源が投入された状態で、ユーザが操作部９３を操作して、接続確立プログラムＰＮの起動を指示すると、制御部９１は、ハードディスクドライブ９２に記憶されている接続確立プログラムＰＮに従った動作を開始し、ユーザに各種操作を促すための画像を表示部９４に表示するとともに、操作部９３からの信号入力を待機する。この状態で、ユーザは、操作部９３を用いて所定の操作を行うことにより、プロジェクタ５０との無線ＬＡＮ接続を開始するための指示を行うことができる。
【００９９】
図１３は、ノートＰＣ９０の動作を説明するためのフローチャートである。
図１３に示すように、ステップＳ３２１では、制御部９１は、操作部９３から入力される操作信号に基づいて、無線ＬＡＮ接続を開始するための指示がなされたか否かを判断する。指示がなされた場合には、ステップＳ３２２へ移行し、指示がなされていない場合には、当該ステップＳ３２１を繰り返す。
【０１００】
無線ＬＡＮ接続を開始するための指示がなされてステップＳ３２２に移行した場合には、制御部９１は、表示部９４にメッセージを表示して、情報端末８０を用いた接続情報コードＣの撮像、及びその撮像結果の転送を促すとともに、撮像結果がＵＳＢポート９７を介して情報端末８０から入力されるのを待機する。
【０１０１】
上記のメッセージが表示されると、ユーザは、プロジェクタ５０からスクリーンＳＣに接続情報コードＣを投写させた状態（ステップＳ１０４）で、情報端末８０をカメラモードにして、投写されている接続情報コードＣの１つを撮像（記録）する必要がある。さらに、ユーザが撮像画像をノートＰＣ９０に転送するための操作を行うと、撮像画像を表す画像データが、インターフェイス部８８を介してノートＰＣ９０に出力される。
【０１０２】
ステップＳ３２３では、制御部９１は、情報端末８０から画像データが入力されたか否かを判断する。画像データがＵＳＢポート９７を介して入力された場合には、ステップＳ３２４に移行し、入力されない場合には、当該ステップＳ３２３を繰り返す。
【０１０３】
画像データが入力されてステップＳ３２４に移行した場合には、制御部９１は、画像データをハードディスクドライブ９２に記憶するとともに、接続確立プログラムＰＮのサブルーチンであるコード解析プログラムを実行し、画像データ（撮像画像）に含まれる接続情報コードＣを解析して接続情報コードＣに含まれる接続情報及び領域情報の認識を試みる。
【０１０４】
ステップＳ３２５では、制御部９１は、接続情報コードＣの解析の結果、接続情報及び領域情報を認識できたか否かを判断する。認識できた場合には、ステップＳ３２７に移行し、認識できなかった場合には、認識が失敗した旨を表すメッセージを表示部９４に表示（ステップＳ３２６）して、ステップＳ３２２に戻る。
【０１０５】
接続情報及び領域情報の認識が成功してステップＳ３２７に移行した場合には、制御部９１は、認識した接続情報に基づいて、無線ＬＡＮ接続を行うための設定をノートＰＣ９０に施す。
【０１０６】
さらに、ステップＳ３２８では、制御部９１は、認識した接続情報及び領域情報に基づいて、プロジェクタ５０との無線ＬＡＮ接続を要求する接続要求コマンドをプロジェクタ５０に送信する。
【０１０７】
ステップＳ３２９では、制御部９１は、プロジェクタ５０から接続を許可する接続応答コマンドを受信したか否かを判断する。受信した場合には、プロジェクタ５０との無線ＬＡＮ接続が確立し、ステップＳ３３０に移行する。一方、接続を拒否する接続応答コマンドを受信した場合には、接続できない旨を示すメッセージを表示（ステップＳ３３３）して処理を終了する。なお、制御部９１がステップＳ３２７〜Ｓ３２９を実行することによって、認識された接続情報に基づく無線ＬＡＮ接続（ネットワーク接続）を行うことから、ステップＳ３２７〜Ｓ３２９を実行する際の制御部９１が、本発明のネットワーク接続手段に相当する。
【０１０８】
ステップＳ３３０では、制御部９１は、プロジェクタ５０で投写するための画像データをハードディスクドライブ９２から読み出し、これを画像信号として通信部９６からプロジェクタ５０に送信する。
【０１０９】
ステップＳ３３１では、制御部９１は、操作部９３からの操作信号に基づいて、ユーザにより無線ＬＡＮ接続を切断するための指示がなされたか否かを判断する。指示があった場合には、プロジェクタ５０に対する切断要求コマンドの送信等、無線ＬＡＮ接続を切断するための処理（ステップＳ３３２）を行って待機状態に戻る。一方、指示がなかった場合には、ステップＳ３３０へ戻り、画像信号の送信を継続する。
【０１１０】
以上説明したように、本実施形態の画像表示システム１によれば、前記第１実施形態と同様の効果を得ることができる。
【０１１１】
（変形例）
なお、本発明の実施形態は、以下のように変更してもよい。
前記第１及び第３実施形態では、ユーザの所望の小領域Ａａ〜Ａｄを特定可能とするために、４つの小領域Ａａ〜Ａｄで共通の接続情報に、小領域Ａａ〜Ａｄ毎に異なる領域情報を含めて符号化し、４つの異なる接続情報コードＣａ〜Ｃｄを生成しているが、予め、小領域Ａａ〜Ａｄ毎に異なる接続情報を割り当てておき、これを符号化するようにしてもよい。例えば、情報端末８０のＩＰアドレスを接続情報に含めることによってプロジェクタ５０が情報端末８０のＩＰアドレスを指定可能にするとともに、このＩＰアドレスを小領域Ａａ〜Ａｄ毎に異なるアドレスにすれば、画像信号の送信元のＩＰアドレスによって所望の小領域Ａａ〜Ａｄを特定することができる。
【０１１２】
前記第１及び第３実施形態では、プロジェクタ５０の制御部５５は、無線ＬＡＮ接続が確立した直後（ステップＳ１０７）にＩＰアドレスと領域情報とを対応付けてＲＡＭに記憶し、ステップＳ１０８において画像信号が入力されると、受信信号に含まれるＩＰアドレスによって送信元の情報端末８０を識別し、このＩＰアドレスに対応する領域情報をＲＡＭから読み出している。制御部５５は、画像信号処理部６０に対して、この領域情報を出力することにより、受信画像を表示すべき小領域Ａを指定しているが、情報端末８０が、画像信号に領域情報を付加して送信するようにし、プロジェクタ５０の制御部５５が、画像信号が入力される度にこの領域情報を取得して、画像信号処理部６０に出力するようにしてもよい。
【０１１３】
前記第２実施形態では、次に画像が表示される小領域Ａに接続情報コードＣを表示させているが、４つ目の情報端末８０が接続されるまで、常に特定の領域、例えば、最後に接続された情報端末８０からの受信画像を表示すべき領域（小領域Ａｄ）に接続情報コードＣを表示し続けるようにしてもよい。
【０１１４】
前記第３実施形態では、情報端末８０とノートＰＣ９０とをケーブルＵＣで接続し、有線によるデータ通信を行っているが、情報端末８０とノートＰＣ９０との接続形態は、前記に限定されず、例えば、赤外線通信や、Ｂｌｕｅｔｏｏｔｈ（登録商標）による無線通信等を用いることも可能である。また、情報端末８０の代わりにデジタルカメラ等の撮像装置を用いることも可能である。
【０１１５】
前記第３実施形態では、情報端末８０が、撮像した接続情報コードＣの画像データをノートＰＣ９０に送信し、ノートＰＣ９０が、接続情報コードＣを解析して接続情報や領域情報の認識を行っているが、情報端末８０が接続情報等の認識までを行い、認識した接続情報等をノートＰＣに送信するようにしてもよい。
【０１１６】
前記第１〜第３実施形態では、分割表示状態において、投写領域ＰＡを４分割しているが、分割数は４つに限られず、５つ以上（例えば、９分割や１６分割など）であってもよいし、３つ以下であってもよい。
【０１１７】
前記第１〜第３実施形態では、ネットワークの形態としては、無線ＬＡＮの場合を例に説明しているが、ワイヤレスＵＳＢ等の他の無線ネットワークや、有線ＬＡＮ等の有線ネットワークの場合にも、本発明を適用可能である。
【０１１８】
前記第１〜第３実施形態では、３つの液晶ライトバルブ５３Ｒ，５３Ｇ，５３Ｂを用いて画像を形成しているが、１つの液晶ライトバルブでカラー画像を形成する構成であってもよい。ここで、液晶ライトバルブは、透過型及び反射型のいずれであってもよい。また、液晶ライトバルブの代わりに、入射した光の射出方向を、画素としてのマイクロミラー毎に制御することにより、光源から出射した光を変調する微小ミラーアレイデバイス等を用いることもできる。
【０１１９】
前記第１〜第３実施形態では、画像表示装置としてプロジェクタ５０を用いた場合の例を示しているが、透過型のスクリーンを一体的に備えたリアプロジェクタ、或いは、ＣＲＴ（陰極線管）ディスプレイ、液晶ディスプレイ、プラズマディスプレイ、ＳＥＤ（Surface-conduction Electron-emitter Display）、有機ＥＬ（Electro Luminescence）ディスプレイ等を用いるようにしてもよい。
【０１２０】
前記第１〜第３実施形態では、画像供給装置として、情報端末８０或いはノートＰＣ９０を用いた場合の例を示しているが、本発明の画像供給装置は、ネットワーク接続を行って画像表示装置に画像信号を送信可能な構成を有していればよく、ＰＤＡ等の他の携帯型情報機器や、無線ＬＡＮ対応のデジタルカメラ等を用いるようにしてもよい。
【図面の簡単な説明】
【０１２１】
【図１】第１実施形態の画像表示システムの概略構成を示す説明図。
【図２】第１実施形態の画像表示システムの概略構成を示すブロック図。
【図３】第１実施形態のプロジェクタの動作を説明するためのフローチャート。
【図４】動作中に投写領域ＰＡに表示される画像を示す説明図。
【図５】動作中に投写領域ＰＡに表示される画像を示す説明図。
【図６】動作中に投写領域ＰＡに表示される画像を示す説明図。
【図７】第１実施形態の情報端末の動作を説明するためのフローチャート。
【図８】第１実施形態の情報端末の動作を説明するための説明図。
【図９】（ａ）〜（ｃ）は、表示状態を切り替える際のプロジェクタの動作を説明するための説明図。
【図１０】（ａ）〜（ｅ）は、第２実施形態のプロジェクタが小領域を割り当てる際の動作を説明する説明図。
【図１１】第３実施形態の画像表示システムの概略構成を示す説明図。
【図１２】第３実施形態の画像表示システムの概略構成を示すブロック図。
【図１３】第３実施形態のノートＰＣの動作を説明するためのフローチャート。
【符号の説明】
【０１２２】
１…画像表示システム、５０…プロジェクタ、５１…画像投写部、５２…光源部、５２ａ…放電ランプ、５２ｂ…リフレクタ、５３Ｒ，５３Ｇ，５３Ｂ…液晶ライトバルブ、５４…投写レンズ、５５…制御部、５６…記憶部、５７…操作部、５８…操作信号受信部、５９…インターフェイス部、６０…画像信号処理部、６１…ランプ駆動部、６３…通信部、６４…ライトバルブ駆動部、６５…バス、７０…アクセスポイント、８０，８０ａ〜８０ｄ…情報端末、８１…制御部、８２…記憶部、８３…操作部、８４…表示部、８５…撮像部、８６…通信部、８７…バス、８８…インターフェイス部、９０…パーソナルコンピュータ（ノートＰＣ）、９１…制御部、９２…ハードディスクドライブ、９３…操作部、９４…表示部、９５…インターフェイス部、９６…通信部、９７…ＵＳＢポート、９８…バス、Ａ，Ａａ〜Ａｄ…小領域、Ｃ，Ｃａ〜Ｃｄ…接続情報コード、ＰＡ…投写領域、ＰＰ，ＰＭ，ＰＮ…接続確立プログラム、ＲＣ…リモコン、ＳＣ…スクリーン、ＵＣ…ケーブル。
【図１】
2008077380.tif 000003
【図２】
2008077380.tif 000004
【図３】
2008077380.tif 000005
【図４】
2008077380.tif 000006
【図５】
2008077380.tif 000007
【図６】
2008077380.tif 000008
【図７】
2008077380.tif 000009
【図８】
2008077380.tif 000010
【図９】
2008077380.tif 000011
【図１０】
2008077380.tif 000012
【図１１】
2008077380.tif 000013
【図１２】
2008077380.tif 000014
【図１３】
2008077380.tif 000015